(57)【要約】【課題】容易に２．５次元像（疑似立体像）を見ることができる写真表示具を提供する。【解決手段】写真またはイラストが印刷された複数の透明板１０，２０，３０，４０，５０と、透明板１０，２０，３０，４０，５０を保持する保持部材６０と、を備えた写真表示具１であって、透明板１０，２０，３０，４０，５０の少なくとも１枚４０は、被写体を写した写真が印刷され、透明板１０，２０，３０，４０，５０の少なくとも１枚１０，２０，３０，５０はイラストが印刷され、透明板１０，２０，３０，４０，５０を保持部材６０に所定の間隔で前後に配置することにより、正面から見た場合に被写体を２．５次元に表示することができる。【選択図】図１
0003214683.tif 000002
【実用新案登録請求の範囲】
【請求項１】
写真またはイラストが印刷された複数の透明板と、
前記透明板を保持する保持部材と、を備えた写真表示具であって、
前記透明板の少なくとも１枚は、被写体を写した写真が印刷され、
前記透明板の少なくとも１枚はイラストが印刷され、
前記透明板を前記保持部材に所定の間隔で前後に配置することにより、正面から見た場合に前記被写体を２．５次元に表示することができることを特徴とする写真表示具。
【請求項２】
前記透明板の枚数は５枚であり、１枚は写真が印刷され、４枚はイラストが印刷されている
請求項１に記載の写真表示具。
【請求項３】
正面から見て一番後ろの透明板には、背景をぼかしたイラストが印刷されており、前記一番後ろの透明板の前に配置される透明板には、人物または動物の写真が印刷されている
請求項１または２に記載の写真表示具。
【請求項４】
前記透明板の裏面には、写真またはイラストが白インク以外のインクで印刷され、その表面に白インクが重ねて印刷されている
請求項１〜３のいずれか一項に記載の写真表示具。
【請求項５】
前記保持部材には、各透明板を保持する複数の凹部または凸部が等間隔で形成されている
請求項１〜４のいずれか一項に記載の写真表示具。
【請求項６】
各透明板は、前記凹部または凸部と嵌合する凸部または凹部を有する
請求項５に記載の写真表示具。
【請求項７】
前記透明板はアクリル板である
請求項１〜６のいずれか一項に記載の写真表示具。
【考案の詳細な説明】
【技術分野】
【０００１】
本考案は、写真に写った被写体（人物等）を２．５次元に表示することができる写真表示具に関する。
【背景技術】
【０００２】
写真を２．５次元に表示する装置としては、例えば、特許文献１に示す疑似立体表示具が提案されている（特許文献１）。
【０００３】
しかしながら、特許文献１に記載の疑似立体表示具は、カメラで撮影した被写体の写真を所定角度に引き延ばす必要があるため、容易に２．５次元像（疑似立体像）を見ることができなかった。
【先行技術文献】
【特許文献】
【０００４】
【特許文献１】特開２００３−６６５４９号公報
【考案の概要】
【考案が解決しようとする課題】
【０００５】
本考案は、容易に２．５次元像（疑似立体像）を見ることができる写真表示具を提供することを目的とする。
【課題を解決するための手段】
【０００６】
本考案の写真表示具は、写真またはイラストが印刷された複数の透明板と、前記透明板を保持する保持部材と、を備えた写真表示具であって、前記透明板の少なくとも１枚は、被写体を写した写真が印刷され、前記透明板の少なくとも１枚はイラストが印刷され、前記透明板を前記保持部材に所定の間隔で前後に配置することにより、正面から見た場合に前記被写体を２．５次元に表示することができることを特徴とする。
【考案の効果】
【０００７】
本考案によれば、容易に２．５次元像（疑似立体像）を見ることができる。
【図面の簡単な説明】
【０００８】
【図１】（ａ）は本考案の一態様に係る写真表示具の正面図、（ｂ）は写真表示具の底面図、（ｃ）は写真表示具の斜視図、（ｄ）は写真表示具の斜視図である。
【図２】本考案の一態様に係る写真表示具における各アクリル板の表面を示す図である。
【図３】本考案の一態様に係る写真表示具における各アクリル板の裏面を示す図である。
【考案を実施するための形態】
【０００９】
＜概要＞
本考案の一態様に係る写真表示具は、写真またはイラストが印刷された複数の透明板と、前記透明板を保持する保持部材と、を備えた写真表示具であって、前記透明板の少なくとも１枚は、被写体を写した写真が印刷され、前記透明板の少なくとも１枚はイラストが印刷され、前記透明板を前記保持部材に所定の間隔で前後に配置することにより、正面から見た場合に前記被写体を２．５次元に表示することができることを特徴としている。
【００１０】
この態様によれば、写真に写った被写体（人物等）の２．５次元像（疑似立体像）を容易に見ることができる。
【００１１】
ここで、２．５次元とは、物体の３次元的形状を1つの方向から見える範囲で表したものをいい、２次元と３次元の中間という意味である。物体の裏側や内部に関する情報がないことで３次元と区別される。
【００１２】
＜実施形態＞
以下に本考案の一態様である写真表示具について、図面を参照しながら詳細に説明する。
【００１３】
図１の（ａ）は本実施形態の写真表示具１の正面図であり、（ｂ）は写真表示具１の底面図であり、（ｃ）は写真表示具１を正面右側から見た斜視図であり、（ｄ）は写真表示具１を正面左側から見た斜視図である。
【００１４】
１．全体構成
本実施形態の写真表示具１は、複数のアクリル板１０，２０，３０，４０，５０と、各アクリル板１０〜５０を所定間隔で前後に保持する保持部材６０とを有する。ここでは、５枚のアクリル板１０，２０，３０，４０，５０を有する。
【００１５】
本明細書において、「アクリル板」とは、材質としてポリメタクリル酸メチル樹脂（ＰＭＭＡ）を用いた板状のものをいう。
【００１６】
２．アクリル板１０，２０，３０，４０，５０
図２はアクリル板１０〜５０の表面を、図３はアクリル板１０〜５０の裏面をそれぞれ示す。
【００１７】
なお、表面とは、写真表示具１を正面から見た場合に、写真が表示される側の面、すなわち図１（ａ）に示すように写真表示具１の正面側をいい、裏面とは正面の反対側をいう。
【００１８】
ここで、アクリル板１０は正面から１枚面のアクリル板、アクリル板２０は正面から２枚面のアクリル板、アクリル板３０は正面から３枚面のアクリル板、アクリル板４０は正面から４枚面のアクリル板、アクリル板５０は正面から５枚面のアクリル板をそれぞれ示す。
【００１９】
アクリル板１０〜５０には、異なる写真またはイラストが印刷されている。
【００２０】
本明細書において、「写真」とは、実在の被写体（人物等）をカメラ等で撮影したものをいい、「イラスト」とは、実在しないものでも自由に創作して描いたものをいい、両者は明確に区別される。
【００２１】
ここでは、アクリル板１０〜５０は、寸法約１２０ｍｍ×９０ｍｍの長方形状で、厚さは約３ｍｍである。
【００２２】
２−１．アクリル板１０
図２に示すように、アクリル板１０の四隅の枠部１１は、黄色等のグラデーションが施され、右側枠の上半分、左側枠の上半分及び上側枠の中央部には、数枚の紅葉の葉のイラストが見える。
【００２３】
図３に示すように、アクリル板１０の裏面は、枠部１１が白色インクで印刷されている。
【００２４】
アクリル板１０の中央部１２は何も印刷されておらず、アクリル板素材そのままの透明である。
【００２５】
２−２．アクリル板２０
図２に示すように、アクリル板２０の四隅の枠部２１は、黄色等のグラデーションが施され、中央部２２の右上隅部、左上隅部及び下方部には色の異なる数枚の紅葉の葉のイラストが見え、右下隅部には千歳飴袋のイラストが見える。
【００２６】
図３に示すように、アクリル板２０の裏面は、枠部２１、紅葉の葉及び千歳飴袋のイラストが白色インクで印刷されている。なお、千歳飴袋のイラストは、全体が白色で印刷されているわけではなく、光が僅かに透過するように描かれている。
【００２７】
２−３．アクリル板３０
図２に示すように、アクリル板３０の四隅の枠部３１は、黄色等のグラデーションが施され、中央部３２の隅部付近には、色の異なる数十枚の紅葉の葉のイラストが重なって見える。
【００２８】
図３に示すように、アクリル板３０の裏面は、枠部３１、紅葉の葉のイラストが白色インクで印刷されている。
【００２９】
２−４．アクリル板４０
図２に示すように、アクリル板４０の四隅の枠部４１は、黄色等のグラデーションが施され、中央部４２には、少女の上半身及び顔の写真が見える。なお、本実施形態においては、便宜上、被写体（少女）を黒色で塗りつぶしているが、実際は鮮明な写真である。
【００３０】
図３に示すように、アクリル板４０の裏面は、枠部４１及び被写体（少女）が白色インクで印刷されている。
【００３１】
２−５．アクリル板５０
図２に示すように、アクリル板５０の四隅の枠部５１は、黄色等のグラデーションが施され、中央部５２には草原風の背景をぼかした感じのイラストが見える。
【００３２】
図３に示すように、アクリル板５０の裏面は全体が白色インクで印刷されているが、光が僅かに透過するようになっている。
【００３３】
２−６．凸部１１，２１，３１，４１，５１
アクリル板１０〜５０の下端には、保持部材６０の凹部６１〜６５と嵌合する大きさの凸部１１，２１，３１，４１，５１が設けられている。
【００３４】
凸部１１〜５１は、アクリル板１０〜５０と同材質からなり、アクリル板１０〜５０と一体的に形成されている。
【００３５】
ここでは、凸部１１〜５１は、寸法約３ｍｍ×４０ｍｍの長方形状で、厚さは約３ｍｍである。
【００３６】
３．印刷
アクリル板への写真やイラストの印刷は、ＵＶインクジェット印刷等により行うことができる。なお、必要に応じてプライマー加工（下地、表面処理）を施すこともできる。紫外線（ＵＶ）光で瞬時にインクを硬化させることにより色ダレ等もなく、細かい部分でもしっかりと印刷することができる。
【００３７】
具体的には、アクリル板１０〜５０への写真やイラストの印刷は、アクリル板１０〜５０の裏面に写真やイラストを白色インク以外のインクで直接印刷し、その上に白色インクを重ねて印刷している。これにより、アクリル板の表面を傷付けることなく、アクリルの透明感を活かすことができる。
【００３８】
４．保持部材６０
保持部材６０は、５枚のアクリル板１０〜５０を所定間隔で保持するものである。
【００３９】
保持部材６０は、例えば、アクリル板１０〜５０と同材質のアクリル素材で形成されている。
【００４０】
ここでは、保持部材６０は、寸法約９０ｍｍ×５２ｍｍの長方形状で、四隅が丸く面取りされ、厚さは約３ｍｍである。
【００４１】
保持部材６０には、凹部６１〜６５が等間隔で形成されている。ここでは、凹部６１〜６５は長手方向に貫通した長孔である。凹部６１〜６５の寸法は、凸部１１，２１，３１，４１，５１の寸法と略同じである。
【００４２】
一の凹部と隣接する凹部の前後の間隔は、約７ｍｍである。なお、この凹部間の間隔は、アクリル板間の前後の間隔と略同等である。
【００４３】
保持部材６０の凹部６１にアクリル板１０の凸部１１を、保持部材６０の凹部６２にアクリル板２０の凸部２１を、保持部材６０の凹部６３にアクリル板３０の凸部３１を、保持部材６０の凹部６４にアクリル板４０の凸部４１を、保持部材６０の凹部６５にアクリル板５０の凸部５１を、それぞれ嵌合すると、各アクリル板１０〜５０を保持部材６０に所定間隔で前後に配置することができる。
【００４４】
５．効果
各アクリル板１０〜５０を保持部材６０に所定間隔で前後に配置すると、５枚に分割された写真とイラストが融合した非現実的世界を作り出すことができる。すなわち、一番後ろの背景をぼかして焦点をずらすことにより奥行き感が生じ、その前の人物に焦点があたることにより、少女の２．５次元像（疑似立体像）を容易に見ることができる。
【００４５】
＜変形例＞
以上、一実施形態に係る写真表示具を説明したが、本考案はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本考案に含まれる。
【００４６】
１．透明板（アクリル板）
実施形態では透明板としてアクリル板を使用したが、透明板は光（可視光線）を透過して板の反対側にあるものが透けて見えるものであればよく、例えば、ポリカーボネート樹脂（ＰＣ）、ポリエチレンテレフタレート樹脂（ＰＥＴ）、塩化ビニール（ＰＶＣ）等の透明樹脂を使用することもできる。なお、透明板は、ポリプロピレン（ＰＰ）、ポリエチレン（ＰＥ）、スチロール樹脂等のプラスチック素材や、紙素材等で形成しても差し支えない。
【００４７】
アクリル板の枚数は、実施形態では５枚としたが、これに限定されず４枚や、６枚以上とすることもできるが、枚数が多くなると透過率が低下していくため、好ましくは４枚〜６枚である。
【００４８】
透明板の寸法、厚み等も、実施形態に限定されず、適宜変更可能である。
【００４９】
実施形態では、複数の透明板を縦長に配置したが、横長に配置してもよい。
【００５０】
２．保持部材
保持部材６０には、凹部６１〜６５を形成したが、凸部１１〜５１を保持できるものであれば、凹部の形状、寸法等は特に限定はない。実施形態では凹部６１〜６５は貫通孔としたが、貫通していなくても差し支えない。
【００５１】
保持部材６０は、アクリル板１０〜５０と同材質のアクリル素材で形成したが、例えば、ポリプロピレン（ＰＰ）、ポリエチレン（ＰＥ）、スチロール樹脂等のプラスチック素材や、紙素材等で形成しても差し支えない。
【００５２】
一の凹部と隣接する凹部の前後の間隔は、実施形態では約７ｍｍであるが、これに限定されず、７ｍｍ未満もしくは７ｍｍ以上とすることもできるが、通常、４〜１０ｍｍであり、好ましくは６〜８ｍｍである。なお、凹部間の間隔は均等としたが、凹部間ごとに異なっていてもよい。
【００５３】
保持部材の寸法、厚み等も、実施形態に限定されず、適宜変更可能である。
【００５４】
３．凹部、凸部
実施形態では保持部材６０側に凹部６１〜６５を設け、アクリル板１０〜５０側に凸部１１，２１，３１，４１，５１を設けたが、凹部と凹部は逆に設けてもよい。すなわち、保持部材６０側に凸部を設け、アクリル板１０〜５０側に凹部を設けても差し支えない。
【００５５】
４．写真
実施形態の写真の被写体は少女であるが、これに限定されず、例えば、少女以外の人物や、犬，猫等の動物等であっても差し支えない。また、実施形態では被写体の少女は１人であるが、人数に制限はなく、例えば、兄弟、親等の複数人であっても差し支えない。なお、被写体が犬，猫等の動物の場合においても、１匹に限らず複数匹であっても差し支えない。
【００５６】
また、写真（人物、動物等）や背景の景色等を印刷した透明板（アクリル板）を複数準備し、それらを印刷した透明板（アクリル板）を個別に交換すれば、異なる写真の２．５次元像（疑似立体像）を容易に楽しむことができる。具体的には、アクリル板４０に印刷した被写体（少女）を別の人物や動物等の写真を印刷したアクリル板に交換したり、アクリル板５０に印刷した草原風の背景のイラストを別の背景のイラストを印刷したアクリル板に交換したりすることにより、１個の写真表示具本体で、数種類の組み合わせの写真の２．５次元像（疑似立体像）を容易に見ることができる。
【符号の説明】
【００５７】
１  写真表示具
１０，２０，３０，４０，５０  アクリル板
６０  保持部材
【図１】
0003214683.tif 000003
【図２】
0003214683.tif 000004
【図３】
0003214683.tif 000005